(57)【要約】【課題】本発明は、枕を使用者の頭・頸部の安定を保ち、耳・顔両側面部の圧迫を回避し皮膚のトラブルを気にすることなく、中材の調整・洗浄を可能とし、なおかつ弾性素材の優しいソフト感と備長・竹炭の持つ抗菌・消臭効果など同時に得られ、さらに旅行時などに携帯でき、特に低い枕を好みの使用者にも快適な睡眠を提供することを課題とする。【解決手段】弾性素材から成る側面形状が略Ｌ字状の髄形を呈した枕本体と、ファスナーを設けた通気性の良い袋状の中材に、備長・竹炭ソフトパイプを使用し、耳・顔の両側面部と後頭載置部に凹みを設けた頭部載置体を、面ファスナーにより一体型としまた、好みで単体として使用可能でさらに、頭部載置体は空気口を設けたビニール製としたことを特長とする。【選択図】図３
2007330735.tif 000002
【特許請求の範囲】
【請求項１】
弾性素材から成る側面形状が略Ｌ字状の髄形を呈した枕本体と、耳・頬など顔の両側面部の圧迫を回避することが出来る工の字型曲線頭部載置体を具備し、工の字型曲線頭部載置体は後頭載置部に凹みと、耳・頬など顔の両側面部が位置する範囲に、平面形状が略工の字型曲線状に凹部を設けたことを特徴とする寝具用枕。
【請求項２】
前記、弾性素材から成る側面形状が略Ｌ字状の髄形を呈した枕本体は、弾力性に富んだウレタンスポンジなどを使用し、頭頂部分を枕木程度枕幅に残し、前記工の字型曲線状頭部載置体が載置する範囲の面を低く、側面形状を略Ｌ字状とし、略Ｌ字状部分は後頭部載置部より頸部載置部が幾分か高くなるよう傾斜を設け、上面の四方の四ヶ所程度に面ファスナーを設けたことを特徴とする請求項１記載の寝具用枕。
【請求項３】
前記、平面形状が略工の字型曲線状を呈した頭部載置体は、一部にファスナーを設けた網ネットなどの通気性の良い素材からなる袋状を呈し、耳・頬など顔の両側面部が位置する範囲を平面形状が略工の字型曲線状に空間を設け、中材に備長・竹炭などのソフトパイプなどを使用し、裏面部に弾性素材から成る側面形状が略Ｌ字状の髄形を呈した枕本体の面ファスナー部に合わせた位置の、四ヶ所程度に面ファスナーを設けたことを特徴とした請求項１また２記載の寝具用枕。
【請求項４】
前記、略工の字型曲線状の頭部載置体を、空気出し入れ口を設けたビニール製の空気枕状にしたことを特徴とする請求項１また３記載の寝具用枕
【請求項５】
前記、略工の字型曲線状頭部載置体は、一部にファスナーを設けた網ネットなどの通気性の良い素材からなる袋状を呈し、耳・頬など顔の側面部が位置する範囲を平面形状が工の字型曲線に空間を設け、中材に備長・竹炭などのソフトパイプなどを使用した、特に低い枕の使用を可能としたことを特徴とする請求項１記載の寝具用枕
【発明の詳細な説明】
【技術分野】
【０００１】  本発明は、就寝時または横たわった姿勢での休息時に、頚椎と後頭部の安定を保ち、耳・頬など顔の両側面の圧迫を回避し、弾性素材の柔軟性と備長・竹炭ソフトパイプの持つ効果が同時に得られ、頭部載置体は洗浄可能でありまた、ビニール製の空気枕状にすることで携帯可能とし、さらに頭部載置体は、使用者の好みにより単体として使用可能とした寝具用枕に関するものである。
【背景技術】
【０００２】  従来、中央と枕の中央横に沿って凹んだ枕また、低反発ウレタン枕、ソフトパイプ枕などそれぞれのものはあった。特開２００４−２６７７３に記載された凹型枕は、頭による耳の圧迫が無くなる快眠しやすい枕が提供され、耳だけに限定され凹みが提供されている。
さらに特開２００５−１１８７９に記載された、快眠枕は頭部・頬部・頚部及び肩部の圧迫防止枕が提供されている。
【特許文献１】特開２００４−２６７７３号広報
【特許文献２】特開２００５−１１８７９号広報
【０００３】  以上のように特許文献１・２のように耳また頬部に凹みがある枕は提供されているが、横を向いて寝たときはもちろんだが、上を向いて寝たときでも完全に近く、耳・頬など顔の側面部の圧迫を避ける枕は提供されていない。また、弾性素材とパイプ素材の枕が提供されているが、一体型となっているため取り離しが不可能であり、洗浄出来ず長期に清潔に使用することが困難であった。
【発明の開示】
【発明が解決しようとする課題】
【０００４】  そのため、次のような問題があった。
１・上または、横を向いて寝たときなど、顔の両側面・耳部が枕に圧迫されることで、シミやしわの発生の要因になるのではと気になる。また、眼鏡・ピアス・イヤリング・イヤホンなど装着したまま寝ると耳朶が屈曲・圧迫されることで苦痛を感じ、傷つくこともあり、さらに外音が聞き取りにくく、そのため空間を保つため手枕をするが、時間の経過に伴い手が痛くなり安眠できなかった。
２・パイプ製の枕などは使用中に中材のずれが生じ後頭部・頚部などの安定感が長時間持続しなかった。
３・低反発ウレタン素材は汗の臭いや、汚れなどが付着しても洗浄が困難であった。
４・枕の素材によって異なるが、硬すぎ・柔らかすぎ・高すぎ・低すぎるなどで頭に合う枕がなかった。
５・旅行などしたとき、自分に合う枕が無く睡眠が十分取れず楽しい気分になれなかった。
そこで、本発明は、以上の問題点を解決し臥床時、上また横を向いて寝たときさらに旅行時など、枕の使用を快適になされたものである。
【課題を解決するための手段】
【０００５】  本発明は、前記弾性素材から成る側面形状が略Ｌ字状の髄形を呈した、枕本体の略Ｌ字状部分の傾斜を設けた上層部分に、耳・頬など顔の側面部が位置する範囲を略工の字型曲線状に大きくくり抜いた形状を呈した、前記平面形状が略工の字型曲線状頭部載置体をそれぞれに設けられた面ファスナーにより接続載置し一体型とした。前記略工の字型曲線状頭部載置体は、通気性の良い素材から成るネット製の袋を呈しており一部にファスナーを設け、中材に備長・竹炭ソフトパイプなどを充鎮し、後頭部載置部に凹みを設けた。また、略工の字型曲線状頭部載置体を空気出し入れ口を設けたビニール製などの素材とし、さらに略工の字型曲線状頭部載置体にファスナーのみを設け、単体として使用できることを特徴とする構成とした寝具用枕。
【発明の効果】
【０００６】  前記弾性素材から成る側面形状が略Ｌ字状の髄形を呈した枕本体と、備長・竹炭・ソフトパイプを中材とする、前記平面形状が略工の字型曲線状の頭部載置体を一体型としたことで、弾性素材の優しいソフト感と備長・竹炭のイオン・脱臭・抗菌など、それぞれが持つ効果を同時に得られる。また中材を使用者の好みにより高さ調整が可能である。
前記平面形状が略工の字型曲線状の頭部載置体の中央の凹みで後頭部の安定感と、弾性素材から成る前記側面形状が略Ｌ字状の髄形を呈した枕本体の、Ｌ字状部の傾斜により下顎部が幾分か高くなることで、頚椎部の安定感と指圧効果が得られさらに呼吸がやや楽になり、鼾も幾分か抑えられる。前記平面形状が略工の字型曲線状の頭部載置体の両側曲線状の凹みで、上また横を向いて寝た時も、使用者の耳・頬など顔の両側面部の圧迫が回避されシミやしわの発生を気にすることなく、更に眼鏡、ピアス・イヤリング・イヤホンなど装着しても、何の障害も感じる事なく楽に利用でき耳・顔の側面部・目の周囲に何らかの病気を患っても空間により痛みを最小限に留めることで安眠できる。また、中央載置部に凹みを設けたことで使用中、中材の遊びが抑えられ安定感が持続する。
汗・臭い・汚れが付着し易い頭頭部載置体を網ネットなど通気性の良い素材とすることで、必要に応じで、洗浄また乾燥を容易にし、長期に清潔に使用することができる。
また、弾性素材から成る枕本体を枕木程度残すことで、両上肢を頭上で組んだ際、弾性素材の優しいソフト感が得られる。さらに、略工の字型曲線状頭部載置体は空気口を設けたビニール製などの素材にすることで、旅行の時など携帯可能とした。さらに略工の字型曲線状頭部載置体にファスナーのみを設け、単体として使用できることを特徴とする構成とした寝具用枕。
【発明を実施するための最良の形態】
【０００７】  以下、本発明の実施の形態について説明する。
前記弾性素材から成る側面形状が略Ｌ字状Ｃを呈した枕本体図１・１の大きさは特に限定されないが、一般的な大きさ（縦３０〜４０ｃｍ×横４０〜７０ｃｍ）を呈し、頭頂部に位置する部分を枕幅に役１０ｃｍ程度枕木状Ａ程度残し、前記略工の字型曲線状頭部載置体２が載置する範囲の面を、後頭載置部Ｂを３〜５ｃｍ、頚載置部Ｄを６〜８ｃｍの高さに傾斜を設けた略Ｌ字状Ｃの髄形とし、面ファスナー６を４箇所程度設ける。
前記、平面形状が略工の字型曲線状頭部載置体図２の２は前記弾性素材から成る側面形状が略Ｌ字状を呈した枕本体の傾斜部Ｃに載置する大きさ（たて２０〜３０ｃｍ×横３０〜６０ｃｍ程度）とし、通気性の良い網ネット素材で一部にファスナー５を設けた袋状を呈しており、後頭載置部に３×４ｃｍ程度の凹み４を設け、使用者の耳・頬など顔の側面部が載置する範囲の両側面部に工の字型曲線状３に凹部Ｅを設け、前記平面形状が略工の字型曲線状頭部載置の裏面部に面ファスナー６を設け、枕本体の面ファスナー６を合わるように載置し一体型図３とし使用する。
また、略工の字型曲線状頭部載置体の形状８で空気出し入れ口７を設けた、ビニール製図４の８とした。
【実施例】
【０００８】  本発明を使用するときは、前記前記弾性素材から成る側面形状が略Ｌ字状の髄形を呈した枕本体の上方を枕木程度残しているため、季節やそのときの好みで逆に使用しても良い。
前記略工の字型曲線状頭部載置体の、中材の備長・竹炭ソフトパイプなどは手で押すと移動するが、中の通路が狭いため遊びが少ないため、使用前に手で中材を押し移動させて、好みに調整し、前記弾性素材から成る側面形状が略Ｌ字状の髄形を呈した枕本体と、前記略工の字型曲線状頭部載置体を取り離し洗浄し長期に清潔に使用する。また、枕カバーを使用する際は消臭・抗菌効果のある素材を用いると、さらに快適な安眠効果が得られる。また、特に低い枕を好みの方には略工の字型曲線状頭部載置体を単体または、従来使用中の枕に合わせての使用も可能である。略工の字型曲線状頭部載置体の形状で空気出し入れ口を設けたビニール製図とし、携帯可能とした。
【図面の簡単な説明】
【０００９】
【図１】本発明にかかる、枕本体の斜視図である。
【図２】本発明にかかる、頭部載置体の平面図である。
【図３】本発明にかかる、枕本体と頭部載置体を載置し一体型とした斜視図である。
【図４】本発明にかかる、ビニール製の頭部載置体の斜視図である。
【符号の説明】
１・枕本体
２・頭部載置体
３・工の字型曲線部
４・後頭載置部凹み
５・ファスナー
６・面ファスナー
７・空気口
８・ビニール製
Ａ・枕木状部
Ｂ・後頭載置部
Ｃ・略Ｌ字状傾斜部
Ｄ・頸部載置部
Ｅ・工の字型曲線凹部
【図１】
2007330735.tif 000003
【図２】
2007330735.tif 000004
【図３】
2007330735.tif 000005
【図４】
2007330735.tif 000006